【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
ハウジングと、
選択された情報を視覚的に表示する前記ハウジング上のディスプレイと、
前記ハウジング内で一連の交互する単極の電流バーストによって組織を電気的に刺激するための、第１の電子回路およびそれと電気的に結合された第１のバッテリと、
第２の電子回路、および前記第２の電子回路と電気的に結合され、前記ディスプレイを動作させるための電気エネルギーの第２の供給源を前記第２の電子回路に提供する第２のバッテリと、
前記ハウジングと選択的に結合されるように構成され、前記第１の電子回路と動作可能に電気的に接続され、前記第１の電子回路へのエネルギー供給を可能にするためのキーを備える電極モジュールとを備える電気的刺激装置。
【請求項２】
前記キーが、前記第１の電子回路のための事前に選択された治療プロトコルによって、プローブ制御ロジックを事前にプログラミングするために、プローブ制御ロジックに付随している請求項１に記載の電気的刺激装置。
【請求項３】
前記キーが、前記事前に選択された治療プロトコルが完了した際の前記キーの廃棄に対処するための使い捨て可能な要素として構成されている、請求項２に記載の電気的刺激装置。
【請求項４】
前記ディスプレイが、前記電気的刺激装置の使用者に、前記事前に選択された治療プロトコルを追従するように促すプロンプトを備える、請求項２に記載の電気的刺激装置。
【請求項５】
前記ディスプレイが、前記電気的刺激装置によって送達された治療の状態を表示するための治療状態ディスプレイを備える、請求項２に記載の電気的刺激装置。
【請求項６】
前記ディスプレイが、前記第１のバッテリの状態を表示するためのバッテリ状態ディスプレイを備える、請求項１に記載の電気的刺激装置。
【請求項７】
持ち運び可能であるように構成されたハウジングと、
第１の電子回路にエネルギー供給されたとき、反対の極性を有する１対の単極の電流バーストを放出するための前記ハウジング内の第１の電子回路と、
前記第１の電子回路に電気的エネルギーを送達するように動作可能である、前記ハウジング内の第１のバッテリと、
前記ハウジングに取り外し可能に取り付けられた電極モジュールと、
前記電極モジュールが前記ハウジングに装着されるとき、前記第１の電子回路と電気的に結合される、前記電極モジュール内の第２の電子回路と、
電極を患者の組織と接触させて配置することを可能にするように前記電極モジュールから外向きに延びて、前記第２の電子回路と電気的に接触している、前記電極モジュール上の電極と、
処方医が、患者の組織への電気的刺激の所定の処方によって前記電極モジュールを選択的にプログラミングすることを可能にする前記第２の電子回路内のプログラミング手段とを備える、処方医が患者の組織への電気的刺激の所定の処方を選択的に処方することを可能にするための装置。
【請求項８】
前記ハウジングが、電気的刺激の前記所定の処方に関する情報を表示するためのディスプレイを備える請求項７に記載の装置。
【請求項９】
前記表示された情報が、前記電極モジュール内に残っている前記所定の処方での治療の数を含む請求項７に記載の装置。
【請求項１０】
前記表示された情報が、患者への前記電気的刺激を活動化させるための指示を含む請求項７に記載の装置。
【請求項１１】
前記表示された情報が、前記第１の電子回路の状態を含む請求項７に記載の装置。
【請求項１２】
前記ディスプレイが、使用者に前記電気的刺激装置を使用することを思い出させる警報を備える請求項７に記載の電気的刺激装置。
【請求項１３】
前記ディスプレイが、前記電極モジュールがないとき前記第１の電子回路が活動化された場合のエラー表示を備える、請求項７に記載の電気的刺激装置。
【請求項１４】
電気的刺激を送達するように動作可能な第１の電子回路を準備するステップと、
第１のバッテリと前記第１の電子回路を相互接続するステップと、
前記第１の電子回路と前記第１のバッテリをハウジング内に包囲するステップと、
前記第１の電子回路から前記組織へ前記電気的刺激を送達するための電極モジュールを提供するステップとを含み、前記電極モジュールが、前記ハウジングに選択的に装着可能であり、前記電極モジュールが、前記第１の電子回路と電気的に接続された前記ハウジングに装着されたとき、前記電子回路をプログラミングするための事前プログラミング手段を含む、組織への電気的刺激を提供するための方法。
【請求項１５】
前記提供するステップが、前記患者のための所定の治療プロトコルを備える前記事前プログラミング可能な手段を選択的にプログラミングするステップを含む請求項１４に記載の方法。
【請求項１６】
前記選択的なプログラミングステップが、前記事前プログラミング可能な手段を再プログラミングすることによって、前記患者のための前記治療プロトコルを修正するステップを含む請求項１５に記載の方法。
【請求項１７】
前記包囲するステップが、前記電気的刺激に関する情報を表示するための前記ハウジング上の視覚的ディスプレイを提供するステップを含む請求項１４に記載の方法。
【請求項１８】
第１のバッテリを備える第１の電子回路を準備するステップと、
前記第１の電子回路を、持ち運び可能であるように構成されたハウジング内に包囲するステップと、
第２の電子回路をプログラミングするためのプログラミング手段を備える前記第２の電子回路をアセンブリするステップと、
前記第２の電子回路を電極モジュール内に配置するステップと、
１対の電極を、前記第２の電子回路と電気的に連絡させて前記電極モジュールに装着するステップと、
前記事前選択された電気的刺激のための所定の治療プロトコルによって前記第２の電子回路内で前記プログラミング手段をプログラミングするステップと、
前記第２の電子回路を前記第１の電子回路と結合するステップと、
前記組織を前記１対の電極と接触させながら前記第１の電子回路および前記第２の電子回路を活動化させ、それによって前記事前に選択された電気的刺激を前記組織のほうへ方向付けるステップとを含む、事前選択された電気的刺激を患者の組織へ提供する方法。
【請求項１９】
前記包囲するステップが、前記ハウジング上に、前記電気的刺激に関する情報を表示するディスプレイを設けるステップとを含む請求項１８に記載の方法。
【請求項２０】
１対の交互する単極の電流バーストを、約３０ミリアンペアまでの電流強度で治療される皮膚領域に順次適用するステップと、
各電流バーストが、約１０秒の持続時間を有し、連続するバーストが反対方向の極性を有するステップとを含む単純ヘルペスおよび帯状疱疹ヘルペスの治療方法。
【請求項２１】
前記電流強度が、約９ミリアンペアである請求項２０に記載の方法。
【請求項２２】
前記電流強度が、約１８ミリアンペアである請求項２０に記載の方法。
【請求項２３】
前記電流強度が、約２７ミリアンペアである請求項２０に記載の方法。
【請求項２４】
反対方向の極性を有する連続するバーストの中間に、皮膚領域への電流なしで約２秒までの休止時間が維持される請求項２０に記載の方法。
【請求項２５】
反対方向の極性を有する連続するバーストの中間に、皮膚領域への電流なしで約１秒までの休止時間が維持される請求項２０に記載の方法。
【請求項２６】
約９ボルトの電位差が治療される皮膚領域にわたって維持される請求項２０に記載の方法。
【請求項２７】
１対の交互する単極の電流バーストが、およそ、８時間の時間にわたって１時間毎に皮膚領域に適用される請求項２０に記載の方法。
【請求項２８】
治療が、５日以下の期間にわたって実施される請求項２０に記載の方法。
【請求項２９】
治療が、１から３日の期間にわたって実施される請求項２０に記載の方法。
【請求項３０】
治療が、１から４日の期間にわたって実施される請求項２０に記載の方法。